(57)【特許請求の範囲】
【請求項１】
移動体に搭載されたサーバと情報通信端末との間で情報通信する移動体搭載通信ネットワークシステムにおいて、
前記情報通信端末は、
本システムを利用するための利用条件が記録された情報記録媒体から前記利用条件を読み取る読取手段と、
前記読取手段により読み取った利用条件を前記サーバに送信する送信手段とを備え、
前記サーバは、
本システムを利用する際の利用条件を記憶する記憶手段と、
前記送信手段より送信された利用条件と前記記憶手段の記憶する利用条件とを照合する照合手段と、
前記照合手段における照合により両利用条件が一致する場合にのみ前記情報通信端末との間で情報通信を可能とする通信制御手段と、
移動体外の情報通信装置と情報通信する外部通信手段と、
前記情報通信端末との間で情報通信を開始する前または前記情報通信端末との間で情報通信を開始した後、前記外部通信手段を介して前記情報通信装置から受信したデータを利用条件に対応する格納場所に保持する保持手段と、を備え、
前記情報通信端末は、前記サーバとの間で情報通信を開始した後、前記保持手段の利用条件に対応する格納場所に保持されているデータを利用することを特徴とする移動体搭載通信ネットワークシステム。
【請求項２】
移動体に搭載されたサーバと情報通信端末との間で情報通信する移動体搭載通信ネットワークシステムにおいて、
前記情報通信端末は、
本システムを利用するための利用条件が記録された情報記録媒体から前記利用条件を読み取る読取手段と、
前記読取手段により読み取った利用条件を前記サーバに送信する送信手段とを備え、
前記サーバは、
本システムを利用する際の利用条件を記憶する記憶手段と、
前記送信手段より送信された利用条件と前記記憶手段の記憶する利用条件とを照合する照合手段と、
前記照合手段における照合により両利用条件が一致する場合にのみ前記情報通信端末との間で情報通信を可能とする通信制御手段と、
移動体外の情報通信装置と情報通信する外部通信手段と、
前記情報通信端末との間で情報通信を開始する前または前記情報通信端末との間で情報通信を開始した後、前記外部通信手段を介して前記情報通信装置から受信したデータを保持する保持手段と、
前記情報通信端末との間の情報通信の終了後に、前記情報通信端末が処理したデータを前記外部通信手段を通じて移動体外の情報通信装置に転送する手段と、を備え、
前記情報通信端末は、前記サーバとの間で情報通信を開始した後、前記保持手段に保持されているデータを利用することを特徴とする移動体搭載通信ネットワークシステム。
【請求項３】
移動体に搭載されたサーバと情報通信端末との間で情報通信する移動体搭載通信ネットワークシステムにおいて、
前記情報通信端末は、
本システムを利用するための利用条件が記録された情報記録媒体から前記利用条件を読み取る読取手段と、
前記読取手段により読み取った利用条件を前記サーバに送信する送信手段とを備え、
前記サーバは、
本システムを利用する際の利用条件を記憶する記憶手段と、
前記送信手段より送信された利用条件と前記記憶手段の記憶する利用条件とを照合する照合手段と、
前記照合手段における照合により両利用条件が一致する場合にのみ前記情報通信端末との間で情報通信を可能とする通信制御手段と、
移動体外の情報通信装置と情報通信する外部通信手段と、
前記情報通信端末との間で情報通信を開始する前または前記情報通信端末との間で情報通信を開始した後、前記外部通信手段を介して前記情報通信装置から受信したデータを保持する保持手段と、
データを指定する指定データを登録する指定データ登録手段と、を備え、
前記サーバと前記情報通信端末との間の情報通信開始後、前記情報通信端末は、前記保持手段に保持されているデータを利用するとともに、前記サーバは、前記外部通信手段を通じて、前記指定データの指定するデータを移動体外の情報通信装置から取得することを特徴とする移動体搭載通信ネットワークシステム。
【請求項４】
前記サーバは、
データを指定する指定データを登録する指定データ登録手段を備え、前記サーバと前記情報通信端末との間の情報通信開始後、前記外部通信手段を通じて、前記指定データの指定するデータを移動体外の情報通信装置から取得することを特徴とする請求項２記載の移動体搭載通信ネットワークシステム。
【請求項５】
サーバと情報通信端末との間で情報通信する移動体搭載通信ネットワークシステム利用の際の利用条件が記録された移動体ネットチケットを発行する情報記録媒体発行装置であって、前記移動体搭載通信ネットワークシステム利用の際の第１の利用条件と移動体利用の際の第２の利用条件とが予め設定されている場合において、
設定された第１の利用条件を読み出す第１の読出手段と、
前記第１の利用条件を情報記録媒体に記録する記録手段と、
設定された第２の利用条件を読み出す第２の読出手段と、
移動体利用の際の第３の利用条件の記録された乗車券から前記第３の利用条件を読み取る第３の読取手段と、
前記第２の読出手段の読み出す第２の利用条件と前記第３の読取手段の読み取る前記第３の利用条件とを照合する照合手段とを備え、
前記照合手段において前記第２の利用条件と前記第３の利用条件とが一致すれば、前記記録手段が前記第１の利用条件を移動体ネットチケットに記録することを特徴とする情報記録媒体発行装置。
【請求項６】
サーバと情報通信端末との間で情報通信する移動体搭載通信ネットワークシステム利用の際の利用条件と移動体利用の際の利用条件とが記録された情報記録媒体を発行する情報記録媒体発行装置であって、前記移動体搭載通信ネットワークシステム利用の際の第１の利用条件と移動体利用の際の第２の利用条件とが予め設定されている場合において、
設定された第１の利用条件を読み出す第１の読出手段と、
前記第１の利用条件と前記第２の利用条件とを情報記録媒体に記録する記録手段と、
設定された第２の利用条件を読み出す第２の読出手段と、
移動体利用者が移動体利用の際に入力した第３の利用条件を読み取る第３の読取手段と、
前記第２の読出手段の読み出す第２の利用条件と前記第３の読取手段の読み取る第３の利用条件とを照合する照合手段とを備え、
前記照合手段において前記第２の利用条件と前記第３の利用条件とが一致すれば、前記記録手段が前記第１の利用条件と前記第２の利用条件とを情報記録媒体に記録することを特徴とする情報記録媒体発行装置。
【請求項７】
請求項１記載の移動体搭載通信ネットワークシステムにおいて、前記サーバはデータを消去する消去手段を備え、前記サーバと前記情報通信端末との間の情報通信が終了すると前記消去手段が前記情報通信端末の処理していたデータを消去することを特徴とする移動体搭載通信ネットワークシステム。
【請求項８】
請求項７記載の移動体搭載通信ネットワークシステムにおいて、前記サーバは移動体外の情報通信装置と情報通信する外部通信手段を備え、前記消去手段がデータを消去する前に、前記外部通信手段が前記情報通信端末が処理していたデータを移動体外の情報通信装置に転送することを特徴とする移動体搭載通信ネットワークシステム。
【請求項９】
請求項１記載の移動体搭載通信ネットワークシステムは、さらに、前記記憶手段の記憶する利用条件または識別情報を消去する消去手段を備え、前記情報記録媒体にはさらに前記情報記録媒体を使用できる有効期限に関する情報が記録されており、前記有効期限経過後は前記消去手段が前記記憶手段の記憶する利用条件または識別情報を消去することを特徴とする移動体搭載通信ネットワークシステム。
【請求項１０】
請求項１記載の移動体搭載通信ネットワークシステムは、さらに、情報通信環境を設定する環境設定手段を備え、前記環境設定手段が複数の移動体利用者に同じ情報通信環境を設定することまたは前記情報記録媒体に記録された情報により同じ情報通信環境を設定することを特徴とする移動体搭載通信ネットワークシステム。
【発明の詳細な説明】
【０００１】
【発明の属する技術分野】
本発明は通信ネットワークシステムにおいて、特に移動体に搭載する移動体搭載通信ネットワークシステム及び情報記録媒体発行装置に関するものである。
【０００２】
【従来の技術】
従来、移動体内で利用できる通信サービスは、種類が少なく、例えば、飛行機内あるいは列車内における電話、ＦＡＸのような通信サービスが存在するにすぎなかった。また、情報通信端末を利用する通信サービスについても同様であった。従来存在していた通信サービスとしては、例えば、列車内の無線電話装置に列車案内情報を表示させる列車内案内システムが存在していた（特開平１０−１９０５９５号公報、特開平１０−２９４７０２号公報）。しかしながら、このような通信システムにおいては、利用可能な通信サービスが限定され、利用者に希望する通信サービスを提供するものではなかった。
【０００３】
一定の場所において共用できる通信サービスとしては、例えば、コンビニエンスストアに設置してあるプリンタ等がある。しかしながら、時間の制約等により、一定の場所に滞在できない場合には、利用が困難となる場合がある。また、利用する装置を持ち運び可能な大きさとすれば、構成を簡略化せざるを得ず、メモリ容量を十分に確保できなくなる等の問題が存在していた。
【０００４】
一方、移動体通信の分野においては、移動体が高速に移動している場合であっても、通信を中断することなく継続できる移動体通信システムが提案されている（特開平１０−１６４６４０号公報）。したがって、移動体外における情報通信を継続して移動体内で行うことができれば、その有用性は大きい。
【０００５】
【発明が解決しようとする課題】
しかしながら、従来は移動体内部で情報通信するための通信ネットワークシステムが十分構築されていなかったため、移動体内において情報通信する場合には、制約が多く、移動体外に比べて、情報通信を行う環境が十分整備されていないという問題が存在していた。
【０００６】
そこで、本発明は、移動体内で情報通信する場合に、移動体外における情報通信環境と同等の情報通信環境を提供することのできる移動体搭載通信ネットワークシステムを提供することを目的とする。
【０００７】
また、本発明は、利用条件を満たす移動体利用者にのみ通信ネットワークを利用させることのできる移動体搭載通信ネットワークシステムを提供することを目的とする。
【０００９】
また、本発明は、移動体利用者が移動体搭載通信ネットワークシステム利用開始時に移動体外の通信ネットワークシステムのデータを利用できる移動体搭載通信ネットワークシステムを提供することを目的とする。
【００１０】
また、本発明は、移動体利用者が移動体搭載通信ネットワークシステムの利用終了後、外部の通信ネットワークシステムにデータを転送することのできる移動体搭載通信ネットワークシステムを提供することを目的とする。
【００１１】
また、本発明は、移動体利用者が移動体搭載通信ネットワークシステムの利用開始後、移動体外の通信ネットワークからデータを受け取ることのできる移動体搭載通信ネットワークシステムを提供することを目的とする。
【００１２】
また、本発明は、移動体利用者が移動体搭載通信ネットワークシステムを利用する際の利用条件を記録した情報記録媒体を発行する情報記録媒体発行装置を提供することを目的とする。
【００１３】
また、本発明は、移動体利用者が移動体搭載通信ネットワークシステムを利用する際の利用条件及び移動体を利用する際の利用条件を一体として記録した情報記録媒体を発行する情報記録媒体発行装置を提供することを目的とする。
【００１４】
また、本発明は、移動体利用者が情報通信端末利用終了後、次の利用者に当該情報通信端末を利用できる状態を提供できる移動体搭載通信ネットワークシステムを提供することを目的とする。
【００１５】
また、本発明は、移動体利用者が情報通信端末利用終了後、次の利用者に当該情報通信端末を利用できる状態を提供でき、かつ移動体利用者が移動体外の情報通信装置で処理を継続できる移動体搭載通信ネットワークシステムを提供することを目的とする。
【００１８】
また、本発明は、移動体利用者が移動体搭載通信ネットワークシステム利用終了後、移動体搭載通信ネットワークシステム利用の際の利用条件に関するデータが消去される移動体搭載通信ネットワークシステムを提供することを目的とする。
【００１９】
また、本発明は、移動体搭載通信ネットワークシステム利用の際の環境を設定することのできる移動体搭載通信ネットワークシステムを提供することを目的とする。
【００２０】
【課題を解決するための手段】
上記問題を解決するために、本発明は、移動体に搭載されたサーバと情報通信端末との間で情報通信する移動体搭載通信ネットワークシステムにおいて、前記情報通信端末は、本システムを利用するための利用条件が記録された情報記録媒体から前記利用条件を読み取る読取手段と、前記読取手段により読み取った利用条件を前記サーバに送信する送信手段とを備え、前記サーバは、本システムを利用する際の利用条件を記憶する記憶手段と、前記送信手段より送信された利用条件と前記記憶手段の記憶する利用条件とを照合する照合手段と、前記照合手段における照合により両利用条件が一致する場合にのみ前記情報通信端末との間で情報通信を可能とする通信制御手段と、移動体外の情報通信装置と情報通信する外部通信手段と、前記情報通信端末との間で情報通信を開始する前または前記情報通信端末との間で情報通信を開始した後、前記外部通信手段を介して前記情報通信装置から受信したデータを利用条件に対応する格納場所に保持する保持手段と、を備え、
前記情報通信端末は、前記サーバとの間で情報通信を開始した後、前記保持手段の利用条件に対応する格納場所に保持されているデータを利用する。
【００２１】
これにより、情報記録媒体に記録された利用条件が、設定された利用条件と一致する場合に限り、移動体搭載通信ネットワークにおいてサーバと情報通信端末との間の情報通信が可能となる。また、移動体外から受信したデータを移動体搭載通信ネットワークシステム利用前に外部通信手段が受信し、保持手段が前記データを利用条件に対応する格納場所に保持する。
【００２６】
また、本発明は、前記サーバは、移動体外の情報通信装置と情報通信を行う外部通信手段と、前記情報通信端末との間の情報通信の終了後に、前記情報通信端末が処理したデータを前記外部通信手段を通じて移動体外の情報通信装置に転送する手段とをさらに備えている。
【００２７】
これにより、移動体搭載通信ネットワークシステム利用終了後、外部通信手段がデータを移動体外の情報通信装置へ転送する。
【００２８】
また、本発明は、前記サーバは、データを指定する指定データを登録するデータ登録手段を備え、前記サーバと前記情報通信端末との間の情報通信開始後、前記外部通信手段を通じて、前記指定データの指定するデータを移動体外の情報通信装置から取得する。
【００２９】
これにより、移動体搭載通信ネットワークシステム利用開始後、移動体外からデータを受信し、受信したデータを保持手段が保持する。
【００３０】
また、本発明は、サーバと情報通信端末との間で情報通信する移動体搭載通信ネットワークシステム利用の際の利用条件が記録された移動体ネットチケットを発行する情報記録媒体発行装置であって、前記移動体搭載通信ネットワークシステム利用の際の第１の利用条件と移動体利用の際の第２の利用条件とが予め設定されている場合において、設定された第１の利用条件を読み出す第１の読出手段と、前記第１の利用条件を情報記録媒体に記録する記録手段と、設定された第２の利用条件を読み出す第２の読出手段と、移動体利用の際の第３の利用条件の記録された乗車券から前記第３の利用条件を読み取る第３の読取手段と、前記第２の読出手段の読み出す第２の利用条件と前記第３の読取手段の読み取る前記第３の利用条件とを照合する照合手段とを備え、前記照合手段において前記第２の利用条件と前記第３の利用条件とが一致すれば、前記記録手段が前記第１の利用条件を移動体ネットチケットに記録する。
【００３１】
これにより、前記情報記録媒体発行装置は、乗車券に記録された利用条件が設定された利用条件と一致する場合に、移動体搭載通信ネットワークシステム利用の際の利用条件を記録した情報記録媒体を発行する。
【００３２】
また、本発明は、サーバと情報通信端末との間で情報通信する移動体搭載通信ネットワークシステム利用の際の利用条件と移動体利用の際の利用条件とが記録された情報記録媒体を発行する情報記録媒体発行装置であって、前記移動体搭載通信ネットワークシステム利用の際の第１の利用条件と移動体利用の際の第２の利用条件とが予め設定されている場合において、設定された第１の利用条件を読み出す第１の読出手段と、前記第１の利用条件と前記第２の利用条件とを情報記録媒体に記録する記録手段と、設定された第２の利用条件を読み出す第２の読出手段と、移動体利用者が移動体利用の際に入力した第３の利用条件を読み取る第３の読取手段と、前記第２の読出手段の読み出す第２の利用条件と前記第３の読取手段の読み取る第３の利用条件とを照合する照合手段とを備え、前記照合手段において前記第２の利用条件と前記第３の利用条件とが一致すれば、前記記録手段が前記第１の利用条件と前記第２の利用条件とを情報記録媒体に記録する。
【００３３】
これにより、前記情報記録媒体発行装置は、入力された利用条件が設定された利用条件と一致する場合に、移動体利用の際の利用条件と移動体搭載通信ネットワークシステム利用の際の利用条件の記録された情報記録媒体を発行する。
【００３４】
また、本発明は、前記請求項１記載の移動体搭載通信ネットワークシステムにおいて、前記サーバはデータを消去する消去手段を備え、前記サーバと前記情報通信端末との間の情報通信が終了すると前記消去手段が前記情報通信端末の処理していたデータを消去する。
【００３５】
また、本発明は、前記請求項８記載の移動体搭載通信ネットワークシステムにおいて、前記サーバは移動体外の情報通信装置と情報通信する外部通信手段を備え、前記消去手段がデータを消去する前に、前記外部通信手段が前記情報通信端末が処理していたデータを移動体外の情報通信装置に転送する。
【００３８】
また、本発明は、前記請求項１記載の移動体搭載通信ネットワークシステムは、さらに、前記記憶手段の記憶する利用条件または識別情報を消去する消去手段を備え、前記情報記録媒体にはさらに前記情報記録媒体を使用できる有効期限に関する情報が記録されており、前記有効期限経過後は前記消去手段が前記記憶手段の記憶する利用条件または識別情報を消去する。
【００３９】
これにより、情報記録媒体の試用期間経過後、消去手段がサーバが保持していた移動体搭載通信ネットワークシステム利用の際の利用条件または識別情報を消去する。
【００４０】
また、本発明は、前記請求項１記載の移動体搭載通信ネットワークシステムは、さらに、情報通信環境を設定する環境設定手段を備え、前記環境設定手段が複数の移動体利用者に同じ情報通信環境を設定することまたは前記情報記録媒体に記録された情報により同じ情報通信環境を設定する。
【００４１】
【発明の実施の形態】
まず、本発明の第１の実施の形態について図を参照して説明する。
【００４２】
図１は、第１の実施の形態に係る移動体搭載通信ネットワークシステムに使用する装置を航空機や車両等の移動体５１内に配置した一例を示している。ただし、図１は、移動体５１内の乗車席５２、移動体ユーザ端末１及び移動体共用サーバ２の配置を、移動体５１の水平断面で示した図である。なお、図中には、同一の役割を果たす構成要素が多数存在するが、説明を簡略化するため、その一部についてのみ説明する。
【００４３】
移動体ユーザ端末１は、移動体５１の利用者が移動体搭載通信ネットワークシステムを利用する際に使用する情報通信端末である。
【００４４】
移動体共用サーバ２は、移動体搭載通信ネットワークシステムの利用者が各乗車席５２から共同して利用できるサーバである。
【００４５】
移動体５１の内部においては、乗車席５２が適当な間隔で配置されており、この乗車席５２の前面に移動体ユーザ端末１が配置されている。そして、乗車席５２から前面に配置された移動体ユーザ端末１を使用することで移動体共用サーバ２との情報通信が可能となっている。移動体共用サーバ２は、他の乗車席の前面に配置された移動体ユーザ端末とも接続されているため、各乗車席から移動体共用サーバ２を利用できる。
【００４６】
図２は、乗車席５２の前面に配置された移動体ユーザ端末１の一構成例を示している。
【００４７】
移動体ユーザ端末１は、主要構成要素として、表示装置２１と、チケット読み取り部５と、携帯用端末６５と接続するためのコネクタ６４とを備えている。
【００４８】
チケット読み取り部５は、移動体ネットチケット１９を差し込むための差込口を備え、差し込まれた移動体ネットチケット１９に記録された情報を読み取る。なお、チケット読み取り部５は、移動体ユーザ端末１と一体とせず、電線等で移動体ユーザ端末１に接続する構成であってもよい。なお、電線で移動体ユーザ端末１に接続されたチケット読み取り部５Ａの構成を図３に示す。
【００４９】
携帯用端末６５は、コネクタ６４を通じて移動体ユーザ端末１に接続され、携帯用端末６５は、移動体ユーザ端末１を通して移動体共用サーバ２と情報通信する一方、情報通信しない場合、他の携帯用端末との間で情報通信する端末である。なお、図２において、携帯用端末６５は、電線を用いてコネクタ６４に接続されているが、無線を用いて接続する構成であってもよい。
【００５０】
次に、上記移動体ユーザ端末１使用時における動作について説明する。
【００５１】
移動体ネットチケット１９がチケット読み取り部５の差込口に差し込まれると、チケット読み取り部５は移動体ネットチケット１９に記録された情報を読み取り、移動体共用サーバ２に送信する。移動体共用サーバ２は、受信した情報を移動体共用サーバ２の保持する情報と照合し、一致すれば移動体ユーザ端末１との間で情報通信を開始する。携帯用端末６５を用いる場合には、移動体共用サーバ２と携帯用端末６５との間で情報通信を開始する。
【００５２】
図４は、本発明の移動体搭載通信ネットワークシステムの一構成例を示すブロック図である。図中、本移動体搭載通信ネットワークシステムの主要構成要素をブロックで示す。
【００５３】
本移動体搭載通信ネットワークシステムにおいては、移動体ユーザ端末１と移動体共用サーバ２との間で情報通信を行う。情報通信に際しては、他に、例えば、周辺機器１７、ユーザ外部通信部１８、移動体ネットチケット１９、キーボード２０、表示装置２１が用いられる。
【００５４】
移動体ユーザ端末１は、移動体搭載通信ネットワークシステムの利用者（以下、「利用者」という。）が使用する端末である。移動体ユーザ端末１は、表示部３と、入力部４と、チケット読み取り部５と、制御部６と、乗り物内通信部７と、経路情報判定部８と、外部通信部９とから構成される。
【００５５】
表示部３は、表示装置２１の表示動作を制御する部分である。
【００５６】
入力部４は、利用者がキーボード２０から入力した情報を受信する部分である。
【００５７】
チケット読み取り部５は、利用者が移動体搭載通信ネットワークシステムを利用する際の利用条件が記録された移動体ネットチケット１９から利用条件を読み取る部分である。
【００５８】
制御部６は、移動体ユーザ端末１各部における情報処理を制御する部分である。
【００５９】
乗り物内通信部７は、移動体共用サーバ２との間で情報を送受信する部分である。
【００６０】
経路情報判定部８は、移動体共用サーバ２との間で送受信される情報がどの経路で情報を送受信するのかを判定する部分である。
【００６１】
外部通信部９は、外部の通信ネットワークに接続する端末または周辺機器１７と移動体共用サーバ２との間で情報の送受信を行う部分である。
【００６２】
移動体共用サーバ２は、乗り物内通信部１０と、アカウント確認部１１と、制御部１２と、ユーザ情報管理部１３と、記憶装置１４と、仮想経路情報判定部１５と、外部通信部１６とから構成され、移動体５１内で共用するネットワーク環境を提供する。
【００６３】
乗り物内通信部１０は、移動体ユーザ端末１との間で情報を送受信する部分である。
【００６４】
アカウント確認部１１は、移動体ネットチケット１９に記録された利用条件が予め設定された利用条件と一致するか否かを確認する部分である。
【００６５】
制御部１２は、移動体共用サーバ２の各部における情報処理を制御する部分である。
【００６６】
ユーザ情報管理部１３は、移動体搭載通信ネットワークシステムの利用環境に関する情報を保持する部分である。
【００６７】
記憶装置１４は、利用者が移動体搭載通信ネットワークシステムを利用する際の利用条件を記憶する装置である。
【００６８】
仮想経路情報判定部１５は、移動体共用サーバ２利用中、利用者への外部からの通信があった場合に備えて設定された仮想経路情報を判別する部分である。
【００６９】
外部通信部１６は、移動体５１外の情報通信装置との間で情報を送受信する部分である。
【００７０】
次に、本発明の移動体搭載通信ネットワークシステムの動作を図５を参照して説明する。図５は、この移動体搭載通信ネットワークシステムの動作を示すフローチャートである。
【００７１】
利用者が、移動体ユーザ端末１のチケット読み取り部５に、移動体搭載通信ネットワークシステムを利用する際の利用条件が記録された移動体ネットチケット１９を入れると、前記利用条件をチケット読み取り部５が読み取る（Ｓ１）。
【００７２】
経路情報判定部８は、チケット読み取り部５が読み取った利用条件から、情報処理経路に関する経路情報を確認する（Ｓ２）。この経路情報により、乗り物内通信部７は、移動体共用サーバ２の乗り物内通信部１０と通信する（Ｓ３）。
【００７３】
制御部１２は、チケット読み取り部５から送信された利用条件を乗り物内通信部１０から受信すると、アカウント確認部１１に本移動体搭載通信ネットワークシステム利用の際の利用条件（アカウント情報）を確認させる。アカウント確認部１１は、制御部１２を通じて記憶装置１４の内容を検索し、対応するアカウント情報の有無を確認する（Ｓ４）。
【００７４】
その結果、アカウント情報が存在すれば（Ｓ５でＹＥＳと判断された場合）、制御部１２は、ユーザ情報管理部１３から利用環境に関する情報を読み取り、利用者の利用環境を設定する（Ｓ６）。一方、表示部３は、表示装置２１に利用環境を表示させて（Ｓ７）、移動体搭載通信ネットワークシステム利用開始の際の動作を終了する。これにより、利用者は情報通信可能となる。
【００７５】
一方、アカウント情報が存在しない場合（Ｓ５でＮＯと判断された場合）には、制御部１２からの指示により、表示部３は表示装置２１に通信ネットワークシステムを利用できない旨を表示させて（Ｓ８）、動作を終了する。すなわち、この場合には、利用者は情報通信をすることができない。
【００７６】
次に、本発明の第２の実施の形態について図を参照して説明する。図６は本発明の移動体搭載通信ネットワークシステムの一構成例を示すブロック図である。図中、本発明の第２の実施の形態に係る移動体搭載通信ネットワークシステムの主要構成要素をブロックで示す。
【００７７】
移動体５１は、内部に、移動体ユーザ端末１と、携帯用端末６５と、移動体共用サーバ２と、記憶装置３４とを備えている。移動体搭載通信ネットワークシステム利用者４１（以下、「利用者４１」という。）は、これらの機器を用いて情報通信をすることができる。
【００７８】
移動体共用サーバ２は、受信した情報を宛先へ転送できないときには、受信した情報を記憶装置３４に記憶させることができる。この機能を利用できる端末は移動体共用サーバ２に登録されており、携帯用端末６５がこの機能を利用できる端末として登録されている。これにより、移動体共用サーバ２は、携帯用端末６５宛ての情報を携帯用端末６５に転送できない場合、受信した情報を記憶装置３４に記憶させる。この際、移動体共用サーバ２は受信した携帯用端末６５宛ての情報を記憶装置３４に記憶させた旨を移動体ユーザ端末１に表示させる。
【００７９】
これら以外に、利用者４１が移動体５１の外部のインターネットＮ１の利用者４２（以下、「利用者４２」という。）と情報通信するための機器として、移動体５１の外部に、携帯メールサーバ３５と、端末３６と、サーバ３７と、端末３８と、携帯用端末３９とが存在する。
【００８０】
携帯メールサーバ３５は、携帯用端末３９を用いて情報通信する際に使用するサーバである。
【００８１】
端末３８は、移動体５１の外部に設けられた通信ネットワークＮ１を利用する者である利用者４２が情報通信に使用する端末である。
【００８２】
携帯用端末３９は、利用者４２が使用する携帯用端末である。
【００８３】
次に、上記構成の移動体搭載通信ネットワークシステムの動作について説明する。
【００８４】
移動体５１の中で移動体共用サーバ２を使用している利用者４１に、移動体外の利用者４２が端末３８や携帯用端末３９から利用者４１のもつ携帯用端末６５にメール送信する場合、携帯メールサーバ３５から無線ネットワークＮ２を介して移動体共用サーバ２にメール情報が送信される。
【００８５】
このとき、移動体共用サーバ２を利用者４１が他の利用者との通信に利用している場合、移動体共用サーバ２は、携帯用端末６５宛てのメール情報を記憶装置３４に記憶させる。この際、移動体共用サーバ２は、メール情報が記憶装置３４に記憶されていることを移動体ユーザ端末１に表示させる。
【００８６】
また、利用者４１が携帯用端末６５を通じて端末３６のファイルデータを取得する場合には、移動体共用サーバ２が、携帯メールサーバ３５を通じて当該ファイルデータを受信し、記憶装置３４に記憶させる。その後、移動体共用サーバ２が記憶装置３４からファイルデータを読み出し、携帯用端末６５にファイルデータを転送する。これにより、携帯用端末６５の記憶容量に影響されることなくデータを転送することができる。
【００８７】
なお、上記動作は、利用者４１が、移動体５１を利用する前であってもよい。
【００８８】
また、利用者４１が、移動体ユーザ端末１を利用後、利用者４２の使用する端末３８にデータを転送する場合、移動体共用サーバ２は移動体ユーザ端末１との情報通信終了後、データを記憶装置３４に記憶させる。外部の端末３８と情報通信可能となると、移動体共用サーバ２は、転送すべきデータを記憶装置３４から読み出し、サーバ３７を通じて端末３８に転送する。
【００８９】
図７は、移動体ネットチケット発券端末１１１の一構成例を示すブロック図である。図中、移動体ネットチケット発券端末１１１の主要構成要素をブロックで示す。
【００９０】
移動体ネットチケット発券端末１１１は、乗車券読み取り部１１２と、移動体ネットチケット設定部１１３と、チケット格納部１１４と、制御部１１５と、乗車券判定部１１６と、通信部１１７とから構成される。
【００９１】
また、移動体ネットチケット発券端末１１１の動作時には、上記主要構成要素に加えて、乗車券１１８、移動体ネットチケット１９、乗車券管理サーバ１２０、移動体共用サーバ２が用いられる。
【００９２】
乗車券読み取り部１１２は、乗車券１１８に記録された情報を読み取る部分である。
【００９３】
移動体ネットチケット設定部１１３は、移動体ネットチケット１９に情報を記録する部分である。
【００９４】
チケット格納部１１４は、移動体ネットチケット設定部１１３において情報を記録される前の移動体ネットチケットを格納する部分である。
【００９５】
制御部１１５は、移動体ネットチケット発券端末１１１の各部を制御する部分である。
【００９６】
乗車券判定部１１６は、乗車券１１８に記録された情報の内容確認を行う部分である。
【００９７】
通信部１１７は、移動体内に設けられた通信ネットワークである移動体共用サーバネットワークＮ３と通信し、移動体共用サーバネットワークＮ３利用の際の利用条件（アカウント情報）について、移動体共用サーバネットワークＮ３と通信する部分である。
【００９８】
乗車券１１８は、移動体５１利用の際の利用条件（請求項４においては第３の利用条件に対応する。）が記録された情報記録媒体である。
【００９９】
移動体ネットチケット１９は、移動体共用サーバネットワークＮ３利用の際の利用条件が記録された情報記録媒体（チケット）である。
【０１００】
乗車券管理サーバ１２０は、乗車券１１８に記録された利用条件を照合するために予め設定された利用条件に関する情報を保持するサーバである。
【０１０１】
次に、上記移動体ネットチケット発券端末１１１の動作について説明する。
【０１０２】
まず、乗車券読み取り部１１２が乗車券１１８に記録された利用条件（請求項４においては第３の利用条件に対応する。）を読み取る。制御部１１５は、乗車券判定部１１６に乗車券管理サーバ１２０の保持する利用条件（請求項４においては第２の利用条件に対応する。）と乗車券１１８に記録された利用条件とを照合させる。一致すれば、制御部１１５は、通信部１１７を通じて移動体共用サーバ２にアカウント情報の設定を依頼する。また、制御部１１５は、移動体ネットチケット設定部１１３にチケット格納部１１４から取り出した移動体ネットチケットにアカウント情報（請求項４においては第１の利用条件に対応する。）を記録させ、移動体ネットチケット１９を発券する。
【０１０３】
図８は、アカウント情報を記録した乗車券（移動体ネット対応乗車チケット）を発券する移動体ネットチケット発券端末１１１Ａの他の構成例を示すブロック図である。図中、移動体ネットチケット発券端末１１１Ａの主要構成要素をブロックで示す。
【０１０４】
移動体ネットチケット発券端末１１１Ａは、入力部１２２と、移動体ネット対応乗車券設定部１２３と、チケット格納部１１４と、制御部１２５と、乗車券判定部１１６と、通信部１１７とから構成される。
【０１０５】
入力部１２２は、移動体利用者が入力する移動体利用の際の利用条件を受信する部分である。
【０１０６】
移動体ネット対応乗車券設定部１２３は、移動体ネット対応乗車チケット１２８を作成する部分である。
【０１０７】
制御部１２５は、移動体ネットチケット発券端末１１１Ａの各部を制御する部分である。
【０１０８】
これらの主要構成要素に加えて、移動体ネットチケット発券端末１１１Ａが実際に動作する場合には、移動体ネット対応乗車チケット１２８、乗車券管理サーバ１２０、移動体共用サーバ２が用いられる。
【０１０９】
移動体対応乗車チケット１２８は、移動体を利用するための情報及びアカウント情報が記録された情報記録媒体である。
【０１１０】
次に、上記移動体ネットチケット発券端末１１１Ａの動作について説明する。
【０１１１】
移動体利用者が入力部１２２より移動体利用の際の利用条件（請求項５においては第３の利用条件に対応する。）を入力する。制御部１２５は乗車券判定部１１６に入力された利用条件の照合を指示する。乗車券判定部１１６は、移動体利用者が入力した利用条件と乗車券管理サーバ１２０から読み出された利用条件（請求項５においては第２の利用条件に対応する。）とを照合する。照合の結果、一致すれば、制御部１２５は、通信部１１７を通じて移動体共用サーバ２にアカウント情報の設定を依頼する。設定されたアカウント情報は通信部１１７を通じて移動体ネット対応乗車券設定部１２３に送られる。
【０１１２】
そして、制御部１２５は、乗車券に記録された利用条件とアカウント情報（請求項５においては第１の利用条件に対応する。）とから移動体ネット対応乗車券設定部１２３に移動体ネット対応乗車チケット１２８を作成させる。
【０１１３】
図９は、移動体共用サーバ２が保持する情報の内容の一例を示す構成図である。図示した情報は、列車の乗車券１１８に関する情報の一例（移動体共用サーバアカウント情報７１）である。移動体共用サーバアカウント情報７１は、移動体ネットＩＤ情報７２と、物理識別番号情報７３と、乗車番号情報７４と、開始日時情報７５と、終了日時情報７６と、携帯端末ＩＤ情報７７とから構成される。なお、移動体共用サーバアカウント情報７１は、移動体である列車の乗車券１１８に記録されている。
【０１１４】
移動体ネットＩＤ情報７２は、移動体５１に搭載された移動体搭載通信ネットワークシステムを識別するための識別情報である。
【０１１５】
物理識別番号情報７３は、移動体ネットチケット１９を識別するための識別情報である。
【０１１６】
乗車番号情報７４は、乗車する列車及び座席に関する識別情報である。
【０１１７】
開始日時情報７５は、移動体共用サーバ２を利用できる有効期間の開始日時に関する識別情報である。
【０１１８】
終了日時情報７６は、移動体共用サーバ２を利用できる有効期間の終了日時に関する識別情報である。
【０１１９】
携帯端末ＩＤ情報７７は、携帯電話等の携帯用端末６５を使用する場合に携帯用端末６５を識別するための識別情報である。
【０１２０】
乗車券には、上記の各識別情報が１レコードで記録されている。例えば、「移動体ネットＩＤ」として「２−６５４−０５２３−１」、「物理識別番号」として「ａｂｃｄｅ１０２０３」、「乗車番号」として「ＨＩＫＡＲＩ１６５４＿５−２３Ａ」、「開始日時」として「２０００／０９／０７，１９：１５」、「終了日時」として「２０００／０９／０８，１９：１５」、「携帯端末ＩＤ」として「Ｎｉｃｋ＠ａｄｄｒｅｓｓ．ｃｏｍ」の各識別情報（図中の符号７１ａで示す移動体共用サーバアカウント情報）が乗車券に記録されている。
【０１２１】
次に、上記識別情報の処理工程について、図１０に示す処理工程のフローチャートを参照して説明する。
【０１２２】
Ｓ２１において、乗車券読み取り部１１２が乗車券１１８より移動体共用サーバアカウント情報（ユーザ情報）７１ａを読み取る。例えば、新幹線を例に考える。「ひかり６５４号の５号車２３Ａ席」の「２０００／０９／０７の１９：１５」分の乗車指定券を購入した人が、新たな移動体ネットチケットを購入し、移動体共用サーバ２のアカウントを発行してもらうときには、乗車情報「ひかり６５４号の５号車２３Ａ席」と、移動体共用サーバ２を利用可能な期間である開始日時７５から終了日時７６までの情報を取得するため、例えば「２０００／０９／０７の１９：１５」から「２０００／０９／０８の１９：１５」を読み取る。
【０１２３】
Ｓ２２において、乗車券判定部１１６が、乗車券１１８の物理識別番号情報７３を確認し、乗車券１１８が存在することを確認する。図９の移動体共用サーバアカウント情報（ユーザ情報）７１ａでは、移動体ネットチケット物理識別番号情報７３は「ａｂｃｄｅ１０２０３」である。
【０１２４】
Ｓ２３において、乗車券判定部１１６は、乗車券管理サーバ１２０に問い合わせ、移動体共用サーバアカウント情報（ユーザ情報）７１ａを確認する。
【０１２５】
Ｓ２４において、乗車券１１８に記録されたユーザ情報７１ａが乗車券管理サーバ１２０の管理する情報と照合される。ユーザ情報７１ａが正しい場合、Ｓ２５において、携帯用端末６５のアドレスを登録するか否かを確認する。ユーザは必要に応じて携帯用端末６５のアドレスを登録することができる。また、携帯用端末６５使用時に携帯用端末６５のアドレスを登録することもできる。
【０１２６】
Ｓ２５において、携帯用端末６５のアドレスを登録する場合、Ｓ２６において、ユーザが使用する携帯用端末６５の携帯用端末ＩＤ情報７７、例えば「Ｎｉｃｋ＠ａｄｄｒｅｓｓ．ｃｏｍ」の登録を行い、Ｓ２７において、移動体共用サーバ２を利用するための移動体ネットＩＤ情報７２、例えば「２−６５４−０５２３−１」を割り当て、移動体共用サーバアカウント情報７１の新規リストを作成する。
【０１２７】
Ｓ２５において、携帯用端末６５のアドレスを登録しない場合、携帯用端末６５のアドレスを設定しないでＳ２７の処理を行う。次に、Ｓ２８において、Ｓ２７で作成した新規アカウント情報を移動体ネットチケット１９に記録する。Ｓ２９において、移動体共用サーバアカウント情報７１に新たに作成したアカウント情報を記録し、Ｓ３０において正常に新規アカウントが作成されたことをユーザに通知し、新規アカウント作成処理を終了する。
【０１２８】
Ｓ２４において、ユーザ情報７１ａが正しくない場合は、Ｓ３１において、作成に失敗したことをユーザに通知し、新規アカウント作成処理を終了する。
【０１２９】
図１１は、移動用共用サーバ２を利用する前に、移動体５１内で使用するファイルを移動体共用サーバ２に予め登録しておく場合の登録情報の一例を示す説明図である。
【０１３０】
移動体共用サーバアカウント情報７１は予め記憶されているデータである先置データ９２、先置データ９２の格納された先置ファイル９３、移動体共用サーバ２にデータを登録するためのデータである登録データ９４、登録データ９４がある場合にその登録データ９４を取得するための取得用データ９５等から構成される。
【０１３１】
先置データ９２には、移動体の通信ネットワークの識別情報である「移動体ネットＩＤ」とそれに対応する「個人情報」とが含まれる。
【０１３２】
先置ファイル９３には、先置データ９２のデータに対応するデータが格納されている。
【０１３３】
登録データ９４は先置ファイル９３に格納されるデータである。
【０１３４】
取得用データ９５は、「サーバ」、「ユーザＩＤ」、「パスワード」及びデータを特定するための「指定データ」からなる。
【０１３５】
次に、上記情報の登録方法について説明する。
【０１３６】
例えば、移動体ネットＩＤ「２−６５４−０５２３−１」を取得した利用者が、データを予め移動体共用サーバ２に登録する場合、移動体５１外の無線ネットワークＮ２から移動体共用サーバ２にアクセスする。そこで、前記利用者が、移動体ネットＩＤ「２−６５４−０５２３−１」を指定すると、データは先置データの格納場所である「／ｐｒｅ−ｓｅｔ／２−６５４−０５２３−１／」の場所に格納される。
【０１３７】
格納されたデータは、移動体利用者が移動体５１の利用後、格納場所から読み出されることによって、移動体５１内で利用可能となる。
【０１３８】
また、移動体共用サーバ２を利用する前にデータを登録する場合、外部ネットワークから移動体共用サーバ２にアクセスし、移動体ネットＩＤ「２−６５４−０５２３−１」を入れ、登録しておくデータのあるサーバ「ｆｔｐ．ｓｏｍｅ．ｃｏｍ」と、そのユーザＩＤ「ｎｉｃｋ」、パスワード「＊＊＊＊＊＊」を入力する。そして、データ「／ｕｓｒ／ｌｏｃａｌ／ｈｏｍｅ／ｎｉｃｋ／ｐｒｅ−ｓｅｔ／ｈｏｇｅ．ｔｘｔ」や複数のデータの集合「ｆｔｐ．ｓｏｍｅ．ｃｏｍ／ｎｉｃｋ／ｐｒｅ−ｓｅｔ／」を指定して、登録する。登録されたデータは移動体搭載通信ネットワークシステム利用開始前または開始後、移動体共用サーバ２を通じて移動体５１外の情報通信装置から移動体５１内に転送されることによって、移動体５１内で利用可能となる。
【０１３９】
登録される情報としては、この他にも、目覚まし設定９６やフレンド設定９７などがある。
【０１４０】
目覚まし設定９６は、乗車時間に応じてメールの送信を受けることのできるサービスを利用するか否かに関する情報についての設定である。例えば、「ＴＲＵＥ」と設定されていれば、乗車時間に応じたメールの送信を受けることができ、「ＦＡＬＳＥ」と設定されていれば、メールの送信を受けることができない。
【０１４１】
フレンド設定９７は、同じ環境を複数の利用者で共有する場合の情報設定である。例えば、移動体ネットＩＤ「２−６５４−０５２３−１」の人が、移動体ネットＩＤ「２−６５４−０５２３−２」の人と同じ環境を利用する場合、フレンド設定９７に「２−６５４−０５２３−２」と登録することにより、同じ環境を利用できることとなる。
【０１４２】
次に、移動体共用サーバ２利用終了時における移動体共用サーバ２の動作を図１２を参照して説明する。図１２は、動作を示すフローチャートである。ここで、予約保存場所とは、利用者が予めデータを保存しようとする場所をいう。
【０１４３】
まず、移動体共用サーバ２の利用を止めるかどうかを確認する（Ｓ５１）。移動体共用サーバ２の利用を止める場合、使用していたデータを利用者が指定するサーバに戻すかどうか確認する（Ｓ５２）。戻す場合には、サーバにアクセスして、使用していたファイルを戻す（Ｓ５３）。その後、移動体共用サーバ２で使用していたデータ及び個人アカウント設定情報を消去する（Ｓ５４、Ｓ５５）。
【０１４４】
一方、移動体共用サーバ２の利用を止めない場合（Ｓ５１でＮＯと判断された場合）には、データが有効期限内であるか否かを確認し（Ｓ５６）、有効期間内である場合（Ｓ５７でＹＥＳと判断された場合）には、利用者が使用していたデータを予約保存場所に置く（Ｓ５７）。その後、移動体共用サーバ２で使用していたデータ及び個人アカウント設定情報を消去する（Ｓ５４、Ｓ５５）。データが有効期限外の場合（Ｓ５７でＮＯと判断された場合）には、移動体共用サーバ２で使用していたデータ及び個人アカウント設定情報を消去する（Ｓ５４、Ｓ５５）。
【０１４５】
次に、利用者が有効期限を設定する工程を図１３を参照して説明する。図１３は、利用者が有効期限を設定する工程を示すフローチャートである。本フローチャートにおいては、有効期限の変更、携帯用端末ＩＤの変更、データの先置き、データの登録について説明する。
【０１４６】
まず、移動体ネットＩＤよりユーザ情報を読み取り（Ｓ７１）、まず、携帯用アドレスを変更するかを確認する（Ｓ７２）。携帯用アドレスを変更する場合には、携帯用アドレスを入力する（Ｓ７３）。
【０１４７】
携帯用アドレスを変更しない場合（Ｓ７２でＮＯと判断された場合）には、有効期限を変更するか否かを確認する（Ｓ７４）。有効期限を変更する場合には、利用者が入力した有効期限に有効期限を変更する（Ｓ７５）。
【０１４８】
有効期限を変更しない場合（Ｓ７４でＮＯと判断された場合）には、使用するデータあるいは戻すデータを登録するか否かを確認する（Ｓ７６）。データを登録する場合、サーバ、ユーザアカウント、パスワードを入力する（Ｓ７７）。これらの工程の後、あるいはデータを登録しない場合には、設定を終了するか否かを確認し（Ｓ７８）、終了しない場合には、再度設定を再開し（Ｓ７２）、終了する場合には、設定を終了する。
【０１４９】
【発明の効果】
本発明によれば、移動体利用者は情報記録媒体に記録された情報に基づいて、移動体通信ネットワークシステムを利用することができる。
【０１５１】
また、本発明によれば、移動体搭載通信ネットワークシステム利用者が利用開始前に、外部の通信ネットワークシステムのデータを移動体搭載通信ネットワークシステムに転送することができる。
【０１５２】
また、本発明によれば、移動体搭載通信ネットワークシステム利用者が利用開始後に、情報通信端末で処理していたデータを外部の通信ネットワークシステムに転送することができる。
【０１５３】
また、本発明によれば、移動体搭載通信ネットワークシステム利用者が利用開始の際に、外部の通信ネットワークシステムのデータを移動体搭載通信ネットワークシステムに転送することができる。
【０１５４】
また、本発明によれば、移動体搭載通信ネットワークシステム利用の際の利用条件を記録した情報記録媒体を発行する情報記録媒体発行装置により、移動体搭載通信ネットワークシステム利用の際の利用条件を記録した情報記録媒体を発行することができる。
【０１５５】
また、本発明によれば、移動体搭載通信ネットワークシステム利用の際の利用条件を記録した情報記録媒体を発行する情報記録媒体発行装置により、移動体利用の際の利用条件と移動体搭載通信ネットワークシステム利用の際の利用条件とを記録した情報記録媒体を発行することができる。
【０１５６】
また、本発明によれば、移動体搭載通信ネットワークシステムの利用終了後、サーバの保持する利用者の利用条件についての情報が消去される。
【０１５７】
また、本発明によれば、サーバと情報通信端末との間の情報通信が終了すると、サーバにおいて記憶されているデータが消去される。不要なデータを消去し、記憶するデータ量を制限できる。
【０１５８】
また、本発明によれば、サーバにおいて記憶されているデータが消去される前に、データが移動体外の情報通信装置に転送される。これにより、データを記憶するデータ記憶媒体を運搬する等のデータの移動に要する労力が軽減される。
【０１６１】
また、本発明によれば、情報記録媒体の使用に関し、有効期限を設けることができる。これにより、情報記録媒体の有効期限後における使用を防止できる。
【０１６２】
また、本発明によれば、移動体搭載ネットワークシステムを利用する際の環境に関する情報を設けている。これにより、複数の人が同一の環境を利用することができる。
【図面の簡単な説明】
【図１】本発明の第１の実施の形態に係る移動体搭載通信ネットワークシステムに使用する装置の移動体内における配置の一例を示す図である。
【図２】乗車席の前面に配置された移動体ユーザ端末の一構成例を示す図である。
【図３】電線で移動体ユーザ端末に接続されたチケット読み取り部の構成を示す図である。
【図４】本発明の一構成例を示すブロック図である。
【図５】本発明の一構成例の動作を示すフローチャートである。
【図６】本発明の一構成例を示すブロック図である。
【図７】本発明の一構成例を示すブロック図である。
【図８】本発明の一構成例を示すブロック図である。
【図９】移動体共用サーバが保持する情報の内容の一例を示す構成図である。
【図１０】識別情報の処理工程を示すフローチャートである。
【図１１】移動用共用サーバを利用する前に、移動体内で使用するファイルを移動体共用サーバに予め登録しておく場合の登録情報の一例を示す説明図である。
【図１２】移動体共用サーバ利用終了時における移動体共用サーバの動作を説明するフローチャートである。
【図１３】利用者が有効期限を設定する工程を示すフローチャートである。
【符号の説明】
１  移動体ユーザ端末
２  移動体共用サーバ
３  表示部
４  入力部
５  チケット読み取り部
５Ａ  チケット読み取り部
６  制御部
７  乗り物内通信部
８  経路情報判定部
９  外部通信部
１０  乗り物内通信部
１１  アカウント確認部
１２  制御部
１３  ユーザ情報管理部
１４  記憶装置
１５  仮想経路情報判定部
１６  外部通信部
１７  周辺機器
１９  移動体ネットチケット
２０  キーボード
２１  表示装置
３４  記憶装置
３５  携帯メールサーバ
３６  端末
３７  サーバ
３８  端末
３９  携帯用端末
４１  利用者
４２  利用者
５１  移動体
５２  乗車席
６４  コネクタ
６５  携帯用端末
７１  移動体共用サーバアカウント情報
７１ａ  移動体共用サーバアカウント情報
７２  移動体ネットＩＤ
７３  物理識別情報
７４  乗車番号
７５  開始日時
７６  終了日時
７７  携帯用端末ＩＤ
９２  先置データ
９３  先置ファイル
９４  登録データ
９５  取得用データ
９６  目覚まし設定
９７  フレンド設定
１１１  移動体ネットチケット発券端末
１１１Ａ  移動体ネットチケット発券端末
１１２  乗車券読み取り部
１１３  移動体ネットチケット設定部
１１４  チケット格納部
１１５  制御部
１１６  乗車券判定部
１１７  通信部
１１８  乗車券
１１９  移動体ネットチケット
１２０  乗車券管理サーバ
１２２  入力部
１２３  移動体ネット対応乗車券設定部
１２５  制御部
１２８  移動体ネット対応乗車チケット
Ｎ１  インターネット
Ｎ２  無線ネットワーク
Ｎ３  移動体共用サーバネットワーク
【図１】
0003681645.tif 000002
【図２】
0003681645.tif 000003
【図３】
0003681645.tif 000004
【図４】
0003681645.tif 000005
【図５】
0003681645.tif 000006
【図６】
0003681645.tif 000007
【図７】
0003681645.tif 000008
【図８】
0003681645.tif 000009
【図９】
0003681645.tif 000010
【図１０】
0003681645.tif 000011
【図１１】
0003681645.tif 000012
【図１２】
0003681645.tif 000013
【図１３】
0003681645.tif 000014